(57)【要約】【課題】簡単な作業で電気ケーブルを纏めつつ内視鏡挿入部の細径化を図った内視鏡用撮像ユニットを提供する。【解決手段】内視鏡用撮像ユニット３０は、挿入部２の先端に配設されたＣＣＤ２５と、ＣＣＤ２５に電気的に接続され、挿入部２内に延設されるシールドケーブル４０、５０、６０と、可撓性を有する線状部材であって、シールドケーブル４０、５０、６０を一纏めに束ねてケーブル束部３１を構成する一本のケーブル束ね部材３２と、備え、束ね部材３２は、一本のシールドケーブルサーランの外周またはシールドケーブル５０、６０を纏めた外周に巻回した第１の巻回部３３と、基準にする一本のケーブル中心軸４０ａに直交する方向に対して各ケーブル４０、５０、６０の中心軸４０ａ、５０ａ、６０ａを直線状態に配列し束ねる第２の巻回部３４と、を有し、ケーブル束ね部材３２は、第１および第２の巻回部３３、３４を形成しケーブル束部３１を構成している。【選択図】図３
2015024029.tif 000002
【特許請求の範囲】
【請求項１】
挿入部の先端に配設された撮像素子と、
前記撮像素子に電気的に接続され、前記挿入部内に延設される三本の電気ケーブルと、
可撓性を有する線状部材であって、三本の前記電気ケーブルを一纏めに束ねてケーブル束部を構成する一本のケーブル束ね部材と、備え、
前記ケーブル束ね部材は、一本の前記電気ケーブルの外周または二本の前記電気ケーブルを纏めた外周に少なくとも一周巻回した第１の巻回部と、基準にする一本の前記電気ケーブルの中心軸に直交する方向に対して三本の前記電気ケーブルの中心軸を直線状態に配列し束ねる第２の巻回部と、を有し、
前記ケーブル束ね部材は、前記第１および第２の巻回部を形成して前記ケーブル束部を構成することを特徴とする内視鏡用撮像ユニット。
【請求項２】
素線を覆うシールド層を備えた複数のシールドケーブルを有し、
前記ケーブル束ね部材は、導電性を有し、
前記ケーブル束ね部材は、前記シールド層に巻回されて複数の前記シールドケーブルのシールド層を同電位にすることを特徴とする請求項１に記載の内視鏡用撮像ユニット。
【請求項３】
前記電気ケーブルは、単数または複数の前記シールドケーブルのシールド層を一本に撚り束ねたシールド束であり、
前記ケーブル束ね部材は、三本の前記シールド束に巻回されて、三本の前記シールド束を一纏めに束ねるとともに、複数の前記シールドケーブルのシールド層を同電位にすることを特徴とする請求項２に記載の内視鏡用撮像ユニット。
【請求項４】
三本の前記電気ケーブルは、三本の前記シールドケーブルであり、
前記ケーブル束ね部材は、前記シールドケーブルの前記シールド層に巻回されて、三本の前記シールドケーブルを一纏めに束ねるとともに、三本の前記シールドケーブルのシールド層を同電位にすることを特徴とする請求項２に記載の内視鏡用撮像ユニット。
【請求項５】
挿入部の先端に配設された撮像素子と、
前記撮像素子に電気的に接続され、前記挿入部内に延設される三本の電気ケーブルと、
可撓性を有する線状部材であって、三本の前記電気ケーブルを一纏めに束ねてケーブル束部を構成する一本のケーブル束ね部材と、備えた内視鏡用撮像ユニットであって、
前記ケーブル束ね部材で、一本の前記電気ケーブルの外周または二本の前記電気ケーブルを纏めた外周に少なくとも一周巻回する第１のケーブル巻付工程と、
第１のケーブル巻き付け工程の後に、前記ケーブル束ね部材で、基準にする一本の前記電気ケーブルの中心軸に直交する方向に対して三本の前記電気ケーブルの中心軸を直線状態に配列し束ねる第２のケーブル巻付工程と、
により前記ケーブル束部を構成することを特徴とする内視鏡用撮像ユニット組立方法。
【発明の詳細な説明】
【技術分野】
【０００１】
本発明は、撮像装置と複数の電気ケーブルを備える内視鏡用撮像ユニット及びその組立方法に関する。
【背景技術】
【０００２】
内視鏡は、医療分野及び工業用分野等において利用されている。内視鏡は、被検部内に挿入される細長な挿入部を有している。
【０００３】
内視鏡には、光学式の内視鏡と、電子式の内視鏡（以下、電子内視鏡と記載する）とがある。電子内視鏡は、観察窓に臨む対物レンズ及び対物レンズの焦点位置に撮像素子の撮像面を配置した撮像装置を備えている。
【０００４】
撮像装置は、撮像素子と、撮像素子に直接または基板を介して電気的に接続される撮像ケーブルが延出されて内視鏡用撮像ユニットとして構成される。内視鏡用撮像ユニットの撮像ケーブルは、内視鏡挿入部内、内視鏡操作部内、ユニバーサルコード内に延設されて例えば内視鏡コネクタを介して外部装置である例えばビデオプロセッサに接続される構成になっている。
【０００５】
内視鏡挿入部内には、撮像ケーブルの他に、例えば、被検部へ照明光を導光するライドガイドファイバー束、或いは、被検部へ処置具を導く処置具チャンネルチューブ等の内視鏡内蔵物が挿通されている。電子内視鏡においては、被検部内へ挿入部を挿入し易くするために挿入部の細径化が求められている。
【０００６】
特許文献１には一本の信号ケーブル内に挿通されている例えば１０本の信号線（本願発明の素線に対応する）を、例えば７本の素線を挿通したシールド（本願発明のシールド層に対応）で覆った第１の信号ケーブル（本願発明のシールドケーブルに対応）と、３本の素線を挿通しシールドで覆った第２の信号ケーブルと、の少なくとも二本に分割して挿入部の細径化を実現した電子内視鏡が示されている。
【０００７】
そして、素線或いはシールドケーブル等の電気ケーブルを纏めて束ねる構成が、特許文献２或いは特許文献３に示されている。  
特許文献２には、三本の電気ケーブルを纏めた外周を、可撓性を有した結束バンドにより束ねた構成が示されている。内側に導体層が形成された結束バンドを、三本の電気ケーブルであるシールドケーブルの露出されたシールド層の纏めた外周に巻回することにより、三本のシールドケーブルを一纏めに束ねるとともに、三本のシールドケーブルのシールド層を簡易な構成で同電位にしている。
【０００８】
特許文献３には複数のシールドケーブルの位置ずれや曲げを防止し束ねつつ各同軸シールドケーブルのシールド層を同電位にする、ばね性を有した板状部材を所定の形状に曲げて構成した共通グランドに容易かつ安定して接続する集合ケーブルの接地部材が示されている。これらの技術によれば、編組導体を解す作業、解した線を撚り合わせる作業等を不要にすることができる。  
【先行技術文献】
【特許文献】
【０００９】
【特許文献１】特開２００１−１２８９３７号公報
【特許文献２】特開２００５−０９３１９８号公報
【特許文献３】特開２０１０−０４０２１４号公報
【発明の概要】
【発明が解決しようとする課題】
【００１０】
しかしながら、図１の（Ｂ）の図に示すように特許文献２の技術を三本のシールドケーブル１０１、１０２、１０３を有した内視鏡撮像ユニットに適用した場合、三本のシールドケーブルに可撓性を有した結束バンド１１０を巻き付けて一纏めに束ねることによって、三本のシールドケーブル１０１、１０２、１０３が略三角形状に束ねられる。すると、略三角形状に束ねられた三本のシールドケーブル１０１、１０２、１０３の外形（以下、幅と記載する）Ｗ１が、例えば図１の（Ａ）に示すような直線状に配設された三本のシールドケーブル１０１、１０２、１０３の幅Ｗに比べて大きくなる。この結果、シールドケーブルを直線状に配設した挿入部１１１の半径に対し、シールドケーブルが略三角形状に束ねられた挿入部１１１Ａの半径は、寸法ｄだけ拡がり構成される。即ち、結束バンド１１０を巻付固定する構成においては、挿入部細径化に支障を来すおそれがある。  
なお、符号１１２は処置具挿通用チャンネルチューブであり、外径寸法はφＤである。
【００１１】
一方、特許文献３の技術では、図１の（Ａ）に示すように、三本のシールドケーブル１０１、１０２、１０３を直線状に配設するように接地部材で束ねることが可能である。しかしながら、接地部材は、板状の硬質部材であり、さらにはばね性を有している。このため、シールドケーブルを束ねるために加える押圧力を調整することが困難である。
【００１２】
内視鏡用撮像ユニットは、例えば０．５ｍｍ等の非常に細い外径を有した電気ケーブルを用いることがある。この様なシールドケーブルは、素線の導体を覆う絶縁被膜も非常に薄く構成されている。この様な非常に薄い絶縁被膜を有したシールドケーブルを、絶縁被膜を破壊せずに、さらにはシールドケーブルの位置ずれを起こさないように、接地部材で適切な押圧力で束ねることは困難であり、束ねる作業が難しくなる虞がある。
【００１３】
また、接地部材の厚み分、シールドケーブルをまとめる部分の幅が大きくなるおそれがある。加えて、シールドケーブルの複数のシールド層を同電位にする場合、露出したシールド層に一様且つ適度な圧力で密接するようにしているため、細径なシールドケーブルを接地部材の外壁と内壁との間に配置させる作業が難しくなるおそれがある。
【００１４】
本発明は上記事情に鑑みてなされたものであって、簡単な作業で電気ケーブルを纏めつつ内視鏡挿入部の細径化を図った内視鏡用撮像ユニット及びその組立方法を提供することを目的にしている。
【課題を解決するための手段】
【００１５】
本発明の一態様における内視鏡用撮像ユニットは、挿入部の先端に配設された撮像素子と、前記撮像素子に電気的に接続され、前記挿入部内に延設される三本の電気ケーブルと、可撓性を有する線状部材であって、三本の前記電気ケーブルを一纏めに束ねてケーブル束部を構成する一本のケーブル束ね部材と、備え、前記ケーブル束ね部材は、一本の前記電気ケーブルの外周または二本の前記電気ケーブルを纏めた外周に少なくとも一周巻回した第１の巻回部と、基準にする一本の前記電気ケーブルの中心軸に直交する方向に対して三本の前記電気ケーブルの中心軸を直線状態に配列し束ねる第２の巻回部と、を有し、前記ケーブル束ね部材は、前記第１および第２の巻回部を形成して前記ケーブル束部を構成している。
【００１６】
本発明の一態様における内視鏡用撮像ユニットの組立方法は、挿入部の先端に配設された撮像素子と、前記撮像素子に電気的に接続され、前記挿入部内に延設される三本の電気ケーブルと、可撓性を有する線状部材であって、三本の前記電気ケーブルを一纏めに束ねてケーブル束部を構成する一本のケーブル束ね部材と、を備えた内視鏡用撮像ユニットであって、前記ケーブル束ね部材で、一本の前記電気ケーブルの外周または二本の前記電気ケーブルを纏めた外周に少なくとも一周巻回する第１のケーブル巻付工程と、前記第１のケーブル巻付工程の後に、前記ケーブル束ね部材で、基準にする一本の前記電気ケーブルの中心軸に直交する方向に対して三本の前記電気ケーブルの中心軸を直線状態に配列し束ねる第２のケーブル巻付工程と、により前記ケーブル束部を構成する。
【発明の効果】
【００１７】
本発明によれば、簡単な作業で電気ケーブルを纏めつつ内視鏡挿入部の細径化を図った内視鏡用撮像ユニット及びその組立方法を実現できる。
【図面の簡単な説明】
【００１８】
【図１】（Ａ）は内視鏡挿入部の細径化を実現した内視鏡撮像ユニットのシールドの構成例を説明する図
【図２】図２−図９は本発明の一実施形態に係り、図２は電子内視鏡の構成例を説明する図
【図３】電子内視鏡の挿入部の先端側に設けられた内視鏡撮像ユニットを主に説明する図
【図４】対物光学部の他の構成例を説明する図
【図５】図３の矢印Ｙ５−Ｙ５線断面図
【図６】電気ケーブルの一例である第１のシールドケーブルの構成及び第１のシールドケーブルに挿通されている出力ケーブル、電源線、及び接地線を説明する図
【図７】複数の電気ケーブルをケーブル束ね部材で一纏めに束ねてケーブル束部を構成する巻回作業を説明する図
【図８】処置具挿通用チャンネルチューブに対して複数の電気ケーブルを横並びにしたケーブル束部を配置した挿入部の断面図
【図９】電気ケーブルの束ね方の種類を説明する図
【図１０】変形例に係り、シールド束を設けた内視鏡撮像ユニットを説明する図
【図１１】図１０の矢印Ｙ１１−Ｙ１１線断面図
【図１２】第２のシールドケーブルの変形例を説明する図
【図１３】第３のシールドケーブルの変形例を説明する図
【発明を実施するための形態】
【００１９】
以下、図面を参照して本発明の実施の形態を説明する。  
図２−図９を参照して本発明の一実施形態を説明する。  
図２に示すように電子内視鏡（以下、内視鏡と略記する）１は、挿入部２と、操作部３と、ユニバーサルケーブル４と、を有して構成されている。挿入部２は、観察対象部位に向けて挿入される細長で長尺な部材である。挿入部２は、先端側から順に先端部２ａと、湾曲部２ｂと、可撓管部２ｃとを連設して構成されている。
【００２０】
先端部２ａ内には例えばライトガイドファイバー束（不図示）を備える照明光学系、後述する内視鏡用撮像ユニット（以下、撮像ユニットと略記する、図３の符号３０）を備える撮像光学系等が配設されている。先端部２ａの先端面には図示しない観察窓、照明窓、及び処置具チャンネル用開口が設けられている。
【００２１】
湾曲部２ｂは、例えば上下の二方向に湾曲自在に構成されている。可撓管部２ｃは、長尺で可撓性を有する管状部材である。  
操作部３には、湾曲操作部５、各種スイッチ６、吸引シリンダ７、処置具挿入口８などが設けられている。各種スイッチ６は、例えば、レリーズスイッチ、フリーズスイッチ、あるいは、通常観察と蛍光観察との切替を行うための観察モード切替スイッチ等である。  
吸引シリンダ７には吸引釦（不図示）が配置される。処置具挿入口８は、処置具挿通用チャンネルチューブ（図５の符号２９）を介して先端部２ａの処置具開口に連通している。
【００２２】
ユニバーサルケーブル４は、操作部３の側面より延出している。ユニバーサルケーブル４の端部には図示しない内視鏡コネクタが設けられている。内視鏡コネクタは、外部装置である光源装置を備えたカメラコントロールユニットに着脱自在に接続される。
【００２３】
図３を参照して挿入部２の先端側の構成を説明する。  
図３に示すように挿入部２の先端側には先端部２ａを構成する先端構成部材１１が設けられている。先端構成部材１１の基端側には湾曲部２ｂを構成する先端湾曲駒１２の先端側が一体に固定されている。  
なお、湾曲部２ｂは、先端湾曲駒１２、先端湾曲駒１２に連設する複数の湾曲駒（不図示）と、複数の湾曲駒を被覆する湾曲ゴム（図５の符号１２ｇ参照）とを備えて構成されている。先端湾曲駒１２の予め定めた位置には上湾曲ワイヤ（図５の符号１２ｕ参照）の先端部及び下湾曲ワイヤ（図５の符号１２ｄ参照）の先端部が固定されている。
【００２４】
挿入部２の先端側には撮像光学系１３が設けられている。撮像光学系１３は、対物光学部１４と、撮像ユニット３０とを備えて主に構成されている。  
対物光学部１４は、光学ユニットであって、例えばステンレス製のレンズ枠１５に観察窓を構成する先端レンズ１６及び複数の光学レンズ１７、例えばステンレス製の絞り部材１８及びスペーサ等を配置して構成されている。レンズ枠１５は、先端構成部材１１の観察用貫通孔１１ｈ内に固定される。
【００２５】
絞り部材１８には、明るさ絞りとフレア絞りとがあり、フレア絞りについては、図４の（Ａ）に示す弾性部材で構成したフレア絞り１９を用いる構成であってもよい。  
フレア絞り１９は、径寸法がレンズ枠１５の内径より予め定めた寸法小径で、厚み寸法が予め定めた寸法に設定されている。
【００２６】
フレア絞り１９は、図４の（Ａ）に示すように配置される。フレア絞り１９は、撮像装置側を構成する光学レンズ１７をフレア絞り１９の弾性力に抗して矢印４Ａ方向に押し込みつつレンズ枠１５内に配置していくことによって押し潰されて弾性変形する。
【００２７】
そして、光学レンズ１７を図４の（Ｂ）に示すように所定の位置に配置することによって、破線形状であったフレア絞り１９が実線に示すように所定の厚みに変形する。この結果、予め定めた寸法の開口が形成されると共に、フレア絞り１９の外周面がレンズ枠１５の内周面に密着する。
【００２８】
このように、フレア絞り１９を弾性部材で構成したことによって、弾性変形させたフレア絞り１９の外周面をレンズ枠１５の内周面に密着させることができる。したがって、先端レンズ１６を通過したレーザー光がレンズ枠１５の内周面に沿って後述する撮像素子の撮像面に入射することが防止される。
【００２９】
なお、フレア絞り１９は、押し潰されて弾性変形する構成に限定されるものでは無く、図４の（Ｃ）の破線に示すようにフレア絞り１９Ａの外径φｄ１を予めレンズ枠１５の内径φｄ２より大きく設定した構成であってもよい。  
本実施形態において、撮像装置側を構成する装置側光学レンズ１７Ａをレンズ枠１５内に配置する際、フレア絞り１９Ａの外縁部１９ｃが弾性変形して湾曲し、湾曲状態の外縁部１９ｃがレンズ枠１５の内周面に密着して上述と同様の作用及び効果を得ることができる。
【００３０】
この構成において、撮像装置側を構成する装置側光学レンズ１７Ａの絞り側縁部には湾曲した外縁部１９ｃを収容可能な逃がし部１７ｂが予め設けてある。
【００３１】
また、上述したようにフレア絞りを弾性部材で構成する代わりに、図４の（Ｄ）に示すようにスペーサ１９Ｓを弾性部材で構成してもよい。スペーサ１９Ｓは、絞り部材１８と撮像装置側を構成する光学レンズ１７との間に配置される。  
この配置状態において、スペーサ１９Ｓは、前述したフレア絞り１９と同様に弾性変形されて外周面をレンズ枠１５の内周面に密着させる。この結果、上述と同様の作用及び効果を得ることができる。
【００３２】
図３に示すように撮像ユニット３０は、例えばステンレス製の撮像枠２１、光学部材であるカバーガラス２２、プリズム２３、保護ガラス２４、固体撮像素子である例えばＣＣＤ２５、及び、例えば硬質な回路基板である駆動基板２６を備える撮像装置２０と、複数のシールドケーブル４０、５０、６０とを主に備えて構成されている。保護ガラス２４は、プリズム２３に紫外線で硬化する透明な接着剤で固定されている。  
なお、固体撮像素子は、ＣＣＤに限らずＣＭＯＳやその他の個体撮像素子であってもよい。カバーガラス２２は、略円柱形状で有り、撮像枠２１の基端側内面に接着固定されている。
【００３３】
プリズム２３は、一面が傾斜面で構成されている。傾斜面の反対面である先端面は、カバーガラス２２に紫外線で硬化する透明な接着剤で固定されている。また、プリズム２３の傾斜面には反射面が構成されている。さらに、プリズム２３は、ＣＣＤ２５の撮像面側に透明な接着剤で接着固定されている。  
ＣＣＤ２５の基端側部には駆動基板２６の先端側部が載置されて電気的に接続されている。
【００３４】
駆動基板２６の裏面基端側には、基端部に予めグランド接続部２７Ｇを備える電子部品２７が実装されている。なお、駆動基板２６の表面及び裏面には図示されていない電子部品が実装されている。
【００３５】
駆動基板２６の表面の予め定めた位置には複数の素線接続部（不図示）が予め定めた位置に設けられている。それぞれの素線接続部には、対応する素線である、第１のシールドケーブル４０内を挿通する素線４１、第２のシールドケーブル５０内を挿通する素線５１、第３のシールドケーブル６０内を挿通する素線６１の各々の導線が接続されている。  
なお、本実施形態においては、素線４１、５１、６１は、電子部品２７、或いは、駆動基板２６を介してＣＣＤ２５に電気的に接続されている。しかし、素線４１、５１、６１を、電子部品２７或いは駆動基板２６を介さず直接ＣＣＤ２５に接続してもよい。
【００３６】
シールドケーブル４０、５０、６０内には、それぞれ複数の素線４１、５１、６１が挿通されている。しかし、図３中においては、シールドケーブル４０、５０、６０内にそれぞれ１本の素線４１、５１、６１が挿通された記載として他の素線については図示を省略している。  
なお、シールドケーブル４０、５０、６０内に挿通される素線４１、５１、６１は、複数に限定されるものではなく、一本でもよい。また、シールドケーブル４０、５０、６０は、挿入部２の長手軸に沿って配列され、操作部３に向かって延出されている。
【００３７】
符号２８は、熱収縮チューブである。熱収縮チューブ２８の先端側内面は、撮像枠２１の基端側外周面に密着固定される。熱収縮チューブの基端側内面は、シールドケーブル４０、５０、６０の後述する各々のシールド層４２、５２、６２を一纏めに束ね構成したケーブル束部３１より外側（基端側とも記載する）に密着固定されている。  
本実施形態において、ケーブル束部３１の基端側に密着固定された熱収縮チューブ２８の外形（以下、幅と記載する）は（Ｗ２＋２ａ）である。幅（Ｗ２＋２ａ）は、シールドケーブル４０、５０、６０のうち一番太いシールドケーブルの外径Ｄ２と熱収縮チューブ２８の肉厚ａを含んだ幅である。
【００３８】
なお、撮像枠２１と熱収縮チューブ２８とケーブル束部３１とで構成される内部空間２８Ｓには封止部材（不図示）が設けられている。  
熱収縮チューブ２８の基端側は、後述するケーブル束部３１によりシールドケーブル４０、５０、６０の中心軸が略直線上に配設された状態で、シールドケーブル４０、５０、６０の外周に密着固定される。
【００３９】
レンズ枠１５と撮像枠２１とは長手軸方向の位置調整を完了した後、接合固定されている。対物光学部１４の先端レンズ１６及び複数の光学レンズ１７を通過した光学像は、撮像装置２０のカバーガラス２２を通過してプリズム２３に侵入した後、プリズム２３の反射面で光軸を折り曲げられ、ＣＣＤ２５の結像面（不図示）に結像する。そしてＣＣＤ２５で光電変換された光学像の電気信号は、第１のシールドケーブル４０内の出力ケーブル、内視鏡コネクタを介してカメラコントロールユニットに伝送される。
【００４０】
図５に示すように挿入部２内には外径寸法が例えばφＤの処置具挿通用チャンネルチューブ２９が配設されている。処置具挿通用チャンネルチューブ２９は、挿入部２の長手軸に沿って操作部３に向かって延出されて、処置具挿入口８に連通固定されている。
【００４１】
図３、図５、図６に示すように第１のシールドケーブル４０は、例えば網組導体、或いは、導膜で形成された第１のシールド層４２と、第１のシールド層４２を被覆して外皮層を構成する絶縁チューブである第１の外層チューブ４３とを備えて構成されている。
【００４２】
図６に示すように第１のシールドケーブル４０内には、素線４１として、例えば同軸ケーブルである出力ケーブル４１ａと、電源線４１ｂと、接地線４１ｃとが挿通されている。出力ケーブル４１ａは、導電性を有した内部導体４４ａと内部絶縁被膜４５ａと、例えば網組導体、或いは導膜で形成された内部シールド層４６ａと、絶縁チューブである内部チューブ体４７ａと、を備えて構成されている。電源線４１ｂは、内部導体４４ｂと内部チューブ体４７ｂとを備えて構成されている。接地線４１ｃは、内部導体４４ｃと内部チューブ体４７ｃとを備えて構成されている。
【００４３】
図３、図５に示すように第２のシールドケーブル５０も、第１のシールドケーブル４０と同様に、第２のシールド層５２と第２の外層チューブ５３とを備えている。そして、第２のシールドケーブル５０内には、素線５１として、例えば水平駆動信号等の周波数の高い駆動信号を伝送する複数の駆動信号線（不図示）が挿通されている。駆動信号線は、インピーダンスの影響で劣化することを防止するため、太径である。
【００４４】
第３のシールドケーブル６０も、第１のシールドケーブル４０、或いは、第２のシールドケーブル５０と同様に、第３のシールド層６２と第３の外層チューブ６３とを備えている。そして、第３のシールドケーブル６０内には、素線６１として、例えば周波数の低い駆動信号を伝送する複数の駆動信号線（不図示）が挿通されている。
【００４５】
図３、図５に示すように３本の電気ケーブルである、第１のシールドケーブル４０、第２のシールドケーブル５０、及び第３のシールドケーブル６０は、ケーブル束ね部材３２をシールドケーブル４０、５０、６０の一部である予め定めた部位に巻回することによって、一列に配列されて一纏めにまとまったケーブル束部３１として構成されている。
【００４６】
具体的に、ケーブル束ね部材３２は、第１のシールドケーブル４０の第１のシールド層４２、第２のシールドケーブル５０の第２のシールド層５２及び第３のシールドケーブル６０の第３のシールド層６２に巻回される。
【００４７】
なお、シールドケーブル４０、５０、６０を束ねるケーブル束ね部材３２は、例えば、１本の導電線、または、複数本の導電線を撚り束ね集めて形成された可塑性を有する柔軟な一本の導電性線状部材であって、例えば銅線である。このため、以下の説明において、ケーブル束ね部材３２を銅線３２とも記載する。
【００４８】
ここで、三本のシールドケーブル４０、５０、６０を一纏めにする手順を説明する。  
まず、作業者は、第１のシールドケーブル４０の素線４１ａ、４１ｂ、４１ｃを露出させると共に、第１の外層チューブ４３を剥がして第１のシールド層４２を予め定めた長さ露出させる。
【００４９】
また、作業者は、第２のシールドケーブル５０についても第１のシールドケーブル４０と同様に、複数の素線５１を露出させると共に、第２のシールド層５２の一部を切断して予め定めた長さだけを該シールド層５２を露出させる。続けて、作業者は、第３のシールドケーブル６０についても上述と同様に、複数の素線６１を露出させると共に、第３のシールド層６２の一部を切断して予め定めた長さだけ該シールド層６２を露出させる。
【００５０】
次に、作業者は、必要に応じ、基準にするシールドケーブルである例えば第１のシールドケーブル４０の第１のシールド層４２を棒状に硬質化させる硬質化処理を行う。硬質化処理は、例えば第１のシールド層４２を構成する柔軟性を有する網組導体に半田を塗布して硬化させる処理である。本実施形態において、第１のシールド層４２は、半田を含浸させた直線棒状の第１のシールド層４２として構成されている。
【００５１】
なお、第１のシールド層４２を、半田ではなく例えば導電性接着剤等により直線棒状の第１のシールド層４２として構成してもよい。  
また、第２のシールド層５２及び第３のシールド層６２は、硬質化させること無く柔軟性を有している。  
また、硬質化処理を施すシールド束は、第１のシールドケーブル４０の第１のシールド層４２に限定されるものではなく、他のシールドケーブルのシールド層を硬質部として構成してもよい。そして、硬質化処理を施すシールドケーブルとしては、シールド層の先端面が電子部品２７のグランド接続部２７Ｇに対面して接続されるシールド層を有するシールドケーブルが最適である。つまり、本実施形態において、棒状の第１のシールド層４２の中心軸は、電子部品２７のグランド接続部２７Ｇの中央部に一致している。
【００５２】
また、上述において、第１のシールド層４２を直線棒状としている。しかし、シールドケーブルのシールド層先端面が電子部品２７のグランド接続部２７Ｇに対面配置させることが困難な場合には、予め定めたシールドケーブルのシールド層を、屈曲部を有する硬質部、或いは、曲部を有する硬質部として構成してもよい。
【００５３】
次に、作業者は、シールドケーブル４０、５０、６０を一纏めに束ねてケーブル束部３１を構成する巻回作業を行う。  
作業者は、図７の（Ａ）に示すようにケーブル束ね部材３２を第１のシールド層４２に少なくとも一周巻き付けて第１の巻回部３３を構成する。  
この後、作業者は、三本のシールドケーブル４０、５０、６０を予め定めた方向に直線状態、即ち一列に纏めるための配列方向を設定する。ケーブル束配列方向は、第１の巻回部３３を設けた基準となる第１のシールド層４２を有する第１のシールドケーブル４０の中心軸４０ａに直交する任意の方向であり、図中の例えば矢印Ｙ７方向である。
【００５４】
作業者は、ケーブル束配列方向を設定した後、図７の（Ｂ）に示すように第１の巻回部３３を挟んで、第２のシールドケーブル５０の第２のシールド層５２及び第３のシールドケーブル６０の第３のシールド層６２を配列方向に沿って略直線状に配置する。
【００５５】
そして、図７の（Ｃ）に示すように、第１の巻回部３３から延出されている銅線３２の一方を固定しつつ、第１の巻回部３３から延長されている銅線３２の他方を第２のシールドケーブル５０の第２のシールド層５２と、第３のシールドケーブル６０の第３の総合シールド６２との側面に沿わせ、その後、第３のシールド層６２の外周に沿い矢印Ｙ７Ｃに示すように第１のシールド層４２の方向に向けて折り返す。
【００５６】
そして、作業者は、銅線３２の前記一方を固定しつつ、図７の（Ｄ）に示すように銅線３２の他方を矢印Ｙ７Ｄ方向に引っ張って、第３のシールド層６２を第１のシールド層４２側に折曲させつつ第２のシールド層５２に徐々に引き寄せていく。そして、第３のシールド層６２を第２のシールド層５２に当接させる。
【００５７】
その後、作業者は、ケーブル束配列方向を確認しつつ、銅線３２の前記一方を固定しながら、さらに銅線３２の他方を矢印Ｙ７Ｄ方向に引っ張って、当接状態の第３のシールド層６２及び第２のシールド層５２を徐々に第１のシールド層４２に引き寄せていく。
【００５８】
この結果、第３のシールド層６２が第１のシールド層４２側にさらに折曲されるとともに、第２のシールド層５２が第１のシールド層４２側に折曲されて、第１のシールド層４２を基準の位置として第３のシールド層６２と第２のシールド層５２とが第１のシールド層４２側に引き寄せられていく。そして、図７の（Ｅ）に示すように第３のシールド層６２と第２のシールド層５２とが当接した状態を保持しつつ、第２のシールド層５２が第１のシールド層４２に巻回された第１の巻回部３３に当接する。
【００５９】
この当接状態において、作業者は、ケーブル束配列方向を確認する。即ち、第１のシールド層４２を有する第１のシールドケーブル４０の中心軸４０ａと、第２のシールド層５２を有する第２のシールドケーブル５０の中心軸５０ａと、第３のシールド層６２を有する第３のシールドケーブル６０の中心軸６０ａとが矢印Ｙ７方向に直線状に配列されているか否かを確認する。
【００６０】
シールドケーブル４０、５０、６０の中心軸４０ａ、５０ａ、６０ａが一直線に配列されていた場合には、銅線３２を矢印Ｙ７Ｅに示すように第１のシールド層４２の外周に沿わせて第３のシールド層６２の方向に向け折り返す。その後、銅線３２を第１のシールド層４２と、第２のシールド層５２及び第３のシールド層６２を纏めた外周に一回又は複数回巻回して第２の巻回部３４を構成する。
【００６１】
すると、第１のシールドケーブル４０、第２のシールドケーブル５０及び第３のシールドケーブル６０が、基準となる第１のシールドケーブル４０の中心軸４０ａと直交するＹ７の方向に対して、各々の中心軸４０ａ、５０ａ、６０ａを直線状態に配列し束ねられ一体固定される。  
この結果、三本のシールドケーブル４０、５０、６０が予め定めた矢印Ｙ７方向に一列に一纏めに束ねたケーブル束部３１が構成される。
【００６２】
また、ケーブル束ね部材３２である１本の銅線３２を第１のシールドケーブル４０の第１のシールド層４２と、第２のシールドケーブル５０の第２のシールド層５２と、第３のシールドケーブル６０の第３のシールド層６２とに巻回し接触させることにより、第１のシールド層４２、第２のシールド層５２、及び第３のシールド層６２が銅線３２を介して同電位になる。
【００６３】
次いで、作業者は、基板２６と第１のシールド層４２とを接続するケーブル／基板接続作業を行う。  
作業者は、第１のシールド層４２を所定の長さで切断し、この先端面を対面する電子部品２７のグランド接続部２７Ｇの側面に当接配置させ、その後、半田、或いは、導電性接着剤によって第１のシールド層４２の先端面を電子部品２７のグランド接続部２７Ｇに一体に固定する。この結果、一纏めに構成されたシールドケーブル４０、５０、６０が駆動基板２６に対して安定した状態で一体固定保持されると共に、各々が同電位となる。
【００６４】
この後、作業者は、素線４１、５１、６１等を駆動基板２６上の素線接続部に接続していく。そして、封止部材の塗布、及び熱収縮チューブ２８の取り付けが完了することによって、撮像ユニット３０が構成される。
【００６５】
本実施形態においては、第２のシールド層５２及び第３のシールド層６２の露出量を第１のシールド層４２の露出量に比較して短く設定している。したがって、素線４１、５１、６１等の駆動基板２６への接続スペースを確保して素線４１、５１、６１を駆動基板２６に接続する接続作業をスムーズに行える。
【００６６】
このように、複数の素線を挿通したシールドケーブル４０、５０、６０をケーブル束ね部材３２によって直線状に配列して一纏めにしたケーブル束部３１の幅Ｗ２は、例えば図１の（Ｂ）に示した略三角形状に束ねられたケーブル束部の幅Ｗ１に対し小さくなる。この結果、ケーブル束部３１を直径Ｄの処置具挿通用チャンネルチューブ２９に隣設させて挿入部２の小径化を実現することができる。
【００６７】
また、基準とする第１のシールドケーブル４０の第１のシールド層４２に銅線３２を巻回させ第一の巻回部３３を構成し、第１のシールドケーブル４０の中心軸４０ａに直交する任意の方向をケーブル束配列方向に設定し、該ケーブル束配列方向に各シールド層４２、５２、６２を配列した上で、各シールド層４２、５２、６２を纏めた外周にケーブル束ね部材３２を巻回して第２の巻回部３４を構成している。  
この結果、シールドケーブル４０、５０、６０の基準となる例えば第１のシールドケーブル４０の位置を基準とし、第２のシールド層５２と第３のシールド層６２とを第１のシールド層４２に寄せた状態で第２の巻回部３４をつくることができる。
【００６８】
したがって、第１のシールド層４２を有する第１のシールドケーブル４０の中心軸４０ａと、第２のシールド層５２を有する第２のシールドケーブル５０の中心軸５０ａと、第３のシールド層６２を有する第３のシールドケーブル６０の中心軸６０ａとをケーブル束配列方向に対して容易に直線状に配列することができる。
【００６９】
また、可撓性を有する柔軟なケーブル束ね部材３２を三本のシールドケーブル４０、５０、６０に巻回して一纏めに束ねることにより、束ねるための巻回力の調節が容易である。これにより、各々のシールドケーブル４０、５０、６０の素線４１，５１、６１の絶縁被膜である内部チューブ体４７ａ、４７ｂ、４７ｃを破壊することなく、さらには三本のシールドケーブル４０、５０、６０の位置ずれを起こさない様に、三本のシールドケーブル４０、５０、６０を束ねる作業を容易に行うことができる。
【００７０】
また、導電性を有するケーブル束ね部材３２を三本のシールドケーブル４０、５０、６０の各々のシールド層４２、５２、６２に巻回することにより、シールド層４２、５２、６２を簡易な構成で同電位にすることができる。
【００７１】
また、導電性を有するケーブル束ね部材３２を用いて三本のシールドケーブル４０、５０、６０の各々のシールド層４２、５２、６２を同電位にした上で、第１のシールド層４２のみを駆動基板２６に実装された電子部品２７のグランド接続部２７Ｇに半田接続している。  
この結果、駆動基板２６への外部からの静電気の影響、或いはシールドケーブル４０、５０、−６０内の素線４１、５１、６１への外部からのノイズの影響、素線４１、５１、６１から外部へのノイズの影響等を容易かつ確実に低減することができる。
【００７２】
さらには、各々のシールド層４２、５２、６２を同電位にした上で、第１のシールド層４２のみをグランド接続部２７Ｇに半田接続しているので、第２のシールド層５２と第３のシールド層６２との各々を駆動基板２６に接続するために第２のシールド層５２と第３のシールド層６２を駆動基板２６側に延出させるスペースが必要なく、加えて、駆動基板２６に第２のシールド層５２と第３のシールド層６２を接続するための接続部を設けるスペースが必要なく、挿入部２の先端部２ａの小型化を実現することができる。
【００７３】
また、束ね部材３２で束ねられた各々のシールド層４２、５２、６２を、半田、或いは、導電性接着剤等により一体固定している。  
この結果、三本のシールドケーブル４０、５０、６０を、電子部品２７のグランド接続部２７Ｇに安定した形状で接続することができ、作業性が向上するとともに、駆動基板２６に対して電子部品２７を介して安定した形状で固定保持させることができる。
【００７４】
これらの結果、簡易な作業で三本の電気ケーブルであるシールドケーブル４０、５０、６０を纏めつつ挿入部２の小径化の実現を図った内視鏡用撮像ユニットを実現することができる。
【００７５】
なお、上述した実施形態においては、処置具挿通用チャンネルチューブ２９に対して縦並びにしたケーブル束部３１を配置する構成としているが、図８に示すように処置具挿通用チャンネルチューブ２９に対して横並びにしたケーブル束部３１を配置してもよい。
【００７６】
上述した実施形態においては、ケーブル束ね部材３２を第１のシールド層４２に巻き付けて、第１の巻回部３３を構成し、その後、第１のシールド層４２と、第２のシールド層５２及び第３のシールド層６２との外周を一纏めに巻回し束ねる第２の巻回部３４を構成してケーブル束部３１を構成するとしている。
【００７７】
しかし、ケーブル束部３１を構成する手順は、上述した手順に限定されるものでは無く、例えば、図９の（Ａ）に示すように銅線３２で第１のシールド層４２と第２のシールド層５２とを纏めた外周に一纏めに巻回し束ねることにより第１の巻回部３３Ａを構成し、その後、第１のシールド層４２と、第２のシールド層５２と、第３のシールド層６２と、を纏めた外周を一纏めに巻回し束ねることにより第１のシールド層４２の中心軸に直交する方向に対して３本のシールド層４２、５２、６２の中心軸を直線状態に配列し束ねる第２の巻回部３４Ａを構成して、第１のシールドケーブル４０、第２のシールドケーブル５０及び第３のシールドケーブル６０を、一体固定してもよい。
【００７８】
また、図９の（Ｂ）に示すように中央に位置する第２のシールド層５２の外周に銅線３２を巻回して第１の巻回部３３Ｂを構成し、その後、第１の巻回部３３Ｂの両隣に第１のシールド層４２と第３のシールド層６２とを配置した上で、第１のシールド層４２と第２のシールド層５２と第３のシールド層６２とを纏めた外周に銅線３２を一纏めに巻回し束ねることにより第１のシールド層４２の中心軸に直交する方向に対して３本のシールド層４２、５２、６２の中心軸を直線状態に配列し束ねる第２の巻回部３４Ｂを構成して、シールドケーブル４０、５０、６０を一体固定してもよい。
【００７９】
また、図９の（Ｃ）に示すように第１のシールド層４２の外周に第１巻回部である第１巻部３３ｃ１を構成し、第２のシールド層５２の外周に第１の巻回部である第２巻部３３ｃ２を構成し、その後、銅線３２を第１のシールド層４２と第２のシールド層５２と第３のシールド層６２とを纏めた外周に一纏めに巻回して束ねることにより第２の巻回部３４Ｃを構成して、シールドケーブル４０、５０、６０を一体固定してもよい。
【００８０】
また、図９の（Ｄ）に示すように第１のシールド層４２の外周に第１の巻回部である第１巻部３３ｄ１を構成し、第２のシールド層５２の外周に第１の巻回部である第２巻部３３ｄ２を構成し、第３のシールド層６２の外周に第１の巻回部である第３巻部３３ｄ３を構成し、その後、銅線３２を第１のシールド層４２と第２のシールド層５２と第３のシールド層６２とを纏めた外周に一纏めに巻回し束ねることにより、第２の巻回部３４Ｄを構成して、シールドケーブル４０、５０、６０を一体固定してもよい。
【００８１】
また、図９の（Ｅ）に示すように第１のシールド層４２の外周に第１の巻回部３３Ｅを構成し、その後、第１の巻回部３３Ｅとの間に銅線３２が交差する交差部３５を設けつつ第２のシールド層５２及びシールド層６２とを纏めた外周に銅線３２を一纏めに巻回し束ねることにより第１のシールド層４２の中心軸に直交する方向に対して３本のシールド層４２、５２、６２の中心軸を直線状態に配列し束ねる第２の巻回部３４Ｅを構成してシールドケーブル４０、５０、６０を一体固定してもよい。
【００８２】
また、図９の（Ｆ）に示すように第１のシールド層４２と第２のシールド層５２とを纏めた外周に銅線３２を一纏めに巻回し束ねた第１の巻回部３３Ｆを構成し、その後、第１の巻回部３３Ｆとの間に銅線３２が交差する交差部３５を設けつつ第３のシールド層６２の外周に銅線３２が巻回することにより第１のシールド層４２の中心軸に直交する方向に対して３本のシールド層４２、５２、６２の中心軸を直線状態に配列し束ねる第２の巻回部３４Ｆを構成してシールドケーブル４０、５０、６０を一体固定してもよい。
【００８３】
また、図示は省略するが、例えば、第２のシールド層５２または／および第３のシールド層６２の切除された部分を撚り合わせて線状部材を構成して、その撚り合わせた線状部材をケーブル束ね部材３２にしてもよい。
【００８４】
また、図示は省略するが、例えば、第２のシールド５２または／および第３のシールド層６２の先端側の余剰の部分を撚り合わせて線状部材を構成して、その撚り合わせた線状部材をケーブル束ね部材３２にしてもよい。
【００８５】
また、シールドケーブル４０、５０、６０の何れかに予め駆動基板２６に接続されない素線であるダミー素線を挿通配置しておき、そのダミー素線の内部導体をケーブル束ね部材としてもよい。  
これらの構成によれば、撮像ユニット３０を組み立てる際に、ケーブル束ね部材を別体で用意する必要が無くなる。
【００８６】
また、上述した実施形態においては、電気ケーブルをシールドケーブル４０、５０、６０としている。そして、シールドケーブル４０、５０、６０の各々のシールド層４２、５２、６２にケーブル束ね部材である銅線３２を巻回することにより、シールド層４２、５２、６２を同電位とする構成としている。
【００８７】
しかし、ケーブル束ね部材は、導電性を有する可撓性の線状部材に限定されるものではなく、非導電性で可撓性を有する柔軟な線状部材であってもよい。また、電気ケーブルは、本実施形態と同様のシールドケーブル、或いは、シールド層を有していない単なる素線、或いは、シールド層を有さず複数の素線が挿通されている複合ケーブル等であり、これら電気ケーブルの外皮層を構成する絶縁チューブである外層チューブに、上述した形態でケーブル束ね部材を巻回してケーブル束部を形成して、三本の電気ケーブルを一体固定してもよい。
【００８８】
その結果、シールド層を同電位にすることはないが、三本の電気ケーブルを直線状に配列し束ねることが可能となり、簡易な作業で三本の電気ケーブルを纏めつつ挿入部２の小径化の実現を図った内視鏡用撮像ユニットを実現することができる。
【００８９】
次に、本実施形態の変形例を、図１０、図１１を参照して説明する。  
前述した実施形態においては、シールドケーブル４０の素線４１を覆った状態のシールド層４２、シールドケーブル５０の素線５１を覆った状態のシールド層５２、及びシールドケーブル６０の素線６１を覆った状態のシールド層６２に、ケーブル束ね部材３２を巻回してケーブル束部３１を形成した。
【００９０】
しかし、本変形例においては、三本のシールドケーブル４０、５０、６０の各々の素線４１、５１、６１と、シールド層４２、５２、６２と、を分離し、分離状態のシールド層４２、５２、６２にケーブル束ね部材３２を巻回してケーブル束部３１を形成する。
【００９１】
図１０、図１１に示すように、三本のシールドケーブル４０、５０、６０の各々の、素線４１、５１、６１を覆う状態のシールド層４２、５２、６２を解し、素線４１、５１、６１を露出させた後、各々のシールド層４２、５２、６２を撚り束ねることによりシールド束４２Ｚ、５２Ｚ、６２Ｚを構成する。  
そして、シールド束４２Ｚ、５２Ｚ、６２Ｚに、上述した実施形態と同様にケーブル束ね部材３２を巻回してケーブル束部３１Ｚを形成する。
【００９２】
ここで、三本のシールド束４２Ｚ、５２Ｚ、６２Ｚを一纏めにする手順を説明する。  
まず、作業者は、第１のシールドケーブル４０の複数の素線４１を露出させ、第１の外層チューブ４３を剥がして第１のシールド層４２を予め定めた長さ露出させる。続けて、作業者は、第１のシールド層４２を解し、該シールド層４２からも素線４１を露出させ、素線４１を覆わない状態の第１のシールド層４２を撚り束ねて、束線状の第１のシールド束４２Ｚを形成する。
【００９３】
なお、第１のシールドケーブル４０の素線４１の１つであって同軸ケーブルである出力ケーブル４１ａについても同様に内部チューブ体４７ａを剥がし、内部シールド層４６ａを露出させ、該シールド層４６ａを第１のシールド層４２に撚り束ねて、第１のシールド束４２Ｚを形成してもよい。
【００９４】
また、作業者は、第２のシールドケーブル５０についても第１のシールドケーブル４０と同様に、複数の素線５１を露出させ、第２のシールド層５２の一部を切断して予め定めた長さだけ該シールド層５２を露出させるとともに、第２のシールド層５２からも素線５１を露出させ、素線５１を覆わない状態の第２のシールド層５２を撚り束ねて、束線状の第２のシールド束５２Ｚを形成する。
【００９５】
続けて、作業者は、第３のシールドケーブル６０についても上述と同様に、複数の素線６１を露出させ、第３のシールド層６２の一部を切断して予め定めた長さだけ該シールド層６２を露出させるとともに、第３のシールド層６２からも素線６１を露出させ、素線６１を覆わない状態の第３のシールド層６２を撚り束ねて、束線状の第３のシールド束６２Ｚを形成する。
【００９６】
次に、作業者は、上述した実施形態と同様に、第１のシールド束４２Ｚと、第２のシールド束５２Ｚと、第３のシールド束６２Ｚとに、ケーブル束ね部材３２を巻回して第１の巻回部３３及び第２の巻回部３４を設けてケーブル束部３１Ｚを形成する。
【００９７】
この際、予め、各々のシールドケーブル４０、５０、６０から延出される各シールド束４２Ｚ、５２Ｚ、６２Ｚの突出方向を各々のシールドケーブル４０、５０、６０の中心軸方向に沿わせて突出させると共に、各々のシールドケーブル４０、５０、６０から延出される素線４１、５１、６１の突出方向を、前記各シールド束４２Ｚ、５２Ｚ、６２Ｚを避ける方向、例えば各々のシールドケーブル４０、５０、６０の中心軸４０ａ、５０ａ、６０ａを結んだ線を境とした一方向側に突出させておく。そして、その状態で、シールド束４２Ｚ、５２Ｚ、６２Ｚにケーブル束ね部材３２を巻回してケーブル束部３１Ｚを形成する。
【００９８】
これにより、中心軸が直線状に配列され束ねられたシールド束４２Ｚ、５２Ｚ、６２Ｚに従い倣うように、シールドケーブル４０、５０、６０の中心軸４０ａ、５０ａ、６０ａも直線状に配列される。
【００９９】
この結果、三本のシールド束４２Ｚ、５２Ｚ、６２Ｚを予め定めた図７の（Ａ）の矢印Ｙ７方向に一列に一纏めに束ねたケーブル束部３１Ｚが構成される。また、シールド束４２Ｚ、５２Ｚ、６２Ｚの配列に従い倣うように、シールドケーブル４０、５０、６０も予め定めた図７の（Ａ）の矢印Ｙ７方向に一列に配列され、シールドケーブル４０、５０、６０の中心軸４０ａ、５０ａ、６０ａが直線状に配列される。
【０１００】
そして、作業者は、ケーブル束部３１Ｚより先端側の第２のシールド束５２Ｚ及び第３のシールド束６２Ｚの余剰分を切除する一方、上述した実施形態と同様に、第１のシールド層４２の先端面に対応する第１のシールド束４２Ｚの先端面を、電子部品２７のグランド接続部２７Ｇに一体に固定する。  
この結果、上述した実施形態と同様の作用及び効果を得ることができる。
【０１０１】
また、各々のシールドケーブル４０、５０、６０の素線４１、５１、６１と、シールド層４２、５２、６２とを分離し、分離状態で、シールド束４２Ｚ、５２Ｚ、６２Ｚにケーブル束ね部材３２を巻回してケーブル束部３１Ｚを形成する。  
このことにより、ケーブル束部３１Ｚより先端側の第２のシールド束５２Ｚ及び第３のシールド束６２Ｚの余剰分を切除する作業を容易に行うことができる。  
この結果、簡易な作業で三本の電気ケーブルであるシールド束４２Ｚ、５２Ｚ、６２Ｚを纏めつつ挿入部２の小径化の実現を図った内視鏡用撮像ユニットを実現することができる。
【０１０２】
なお、上記変形例においては、各々のシールドケーブル４０、５０、６０のシールド層４２、５２、６２を束ねたシールド束４２Ｚ、５２Ｚ、６２Ｚにケーブル束ね部材３２を巻回してケーブル束部３１Ｚを形成する構成とした。しかし、第２のシールドケーブル５０の代わりに、例えば、図１２に示すような複合ケーブル７０を用いても良い。
【０１０３】
図１２に示す複合ケーブル７０は、素線として、図６に示した出力ケーブル４１ａと同様の構成である同軸ケーブル７１を複数本挿通して構成されている。同軸ケーブル７１ａ、７１ｂ、７１ｃは、それぞれ内部導体７４ａ、７４ｂ、７４ｃと、内部絶縁被膜７５ａ、７５ｂ、７５ｃと、内部シールド層７６ａ、７６ｂ、７６ｃと、内部チューブ体７７ａ、７７ｂ、７７ｃと、を備えて構成されている。
【０１０４】
複合ケーブル７０においては、これら複数の同軸ケーブル７１の複数の内部シールド層７６ａ、７６ｂ、７６ｃを一纏めに撚り束ねて第２のシールド束７２Ｚを形成してもよい。そして、三本のシールド束４２Ｚ、７２Ｚ、６２Ｚにケーブル束ね部材を巻回してケーブル束部を形成する。
【０１０５】
また、前記変形例においては、各々のシールドケーブル４０、５０、６０の素線４１、５１、６１とシールド層４２、５２、６２とを分離し、束ねられたシールド束４２Ｚ、５２Ｚ、６２Ｚにケーブル束ね部材３２を巻回してケーブル束部３１Ｚを形成している。
【０１０６】
しかし、図１３に示すように例えば、第３のシールドケーブル６０内に、例えば、素線６１ａ、６１ｂ、６１ｃに加えて、予め第３のシールド層６２と接触して電気的に接続された導電性を有するダミー導線６２Ｄを挿通配置しておく。そして、このダミー導線６２Ｄと、第１のシールド束４２Ｚと、第２のシールド束５２Ｚと、にケーブル束ね部材３２を巻回してケーブル束部３１Ｚを形成してもよい。
【０１０７】
なお、本発明は、以上述べた実施形態のみに限定されるものではなく、発明の要旨を逸脱しない範囲で種々変形実施可能である。
【符号の説明】
【０１０８】
１…内視鏡（電子内視鏡）  ２…挿入部  ２ａ…先端部  ２ｂ…湾曲部  ２ｃ…可撓管部
３…操作部  ４…ユニバーサルケーブル  ５…湾曲操作部  ６…スイッチ  
７…吸引シリンダ  ８…処置具挿入口  １１…先端構成部材  １１ｈ…観察用貫通孔
１２…先端湾曲駒  １２ｄ…下湾曲ワイヤ  １２ｇ…湾曲ゴム  １２ｕ…上湾曲ワイヤ
１３…撮像光学系  １４…対物光学部  １５…レンズ枠  １６…先端レンズ  
１７…光学レンズ  １７Ａ…装置側光学レンズ  １７ｂ…逃がし部  １８…絞り部材
１９Ｓ…スペーサ  １９ｃ…外縁部  ２０…撮像装置  ２１…撮像枠  ２２…カバーガラス  ２３…プリズム  ２４…保護ガラス  ２６…駆動基板  ２７…電子部品  
２７Ｇ…グランド接続部  ２８…熱収縮チューブ  ２８Ｓ…内部空間
２９…処置具挿通用チャンネルチューブ  ３０…撮像ユニット  
３１、３１Ｚ…ケーブル束部  ３２…ケーブル束ね部材（銅線）  ３３…第１の巻回部
３４…第２の巻回部  ３５…交差部  ４０…第１のシールドケーブル  ４０ａ…中心軸
４１、５１…素線  ４１ａ…出力ケーブル  ４１ｂ…電源線  ４１ｃ…接地線
４２…第１のシールド層  ４２Ｚ…シールド束  ４３…第１の外層チューブ  
４４ａ、４４ｂ、４４ｃ…内部導体  ４５ａ…内部絶縁被膜  ４６ａ…内部シールド層
４７ａ、４７ｂ、４７ｃ…内部チューブ体  ５０…第２のシールドケーブル
５０ａ…中心軸  ５１…素線  ５２…第２のシールド層  ５２Ｚ…シールド束
５３…第２の外層チューブ  ６０…第３のシールドケーブル  ６０ａ…中心軸  
６１…素線  ６２…第３のシールド層  ６２…第３のシールド層  ６２Ｄ…ダミー導線
６２Ｚ…シールド束  ６３…第３の外層チューブ  ７０…複合ケーブル  
７１…同軸ケーブル  ７２Ｚ…シールド束  ７４ａ…内部導体  ７５ａ…内部絶縁被膜
７６ａ…内部シールド層  ７７ａ…内部チューブ体  １０１…シールドケーブル
１１０…結束バンド  １１１…挿入部  １１２…処置具挿通用チャンネルチューブ
【図１】
2015024029.tif 000003
【図２】
2015024029.tif 000004
【図３】
2015024029.tif 000005
【図４】
2015024029.tif 000006
【図５】
2015024029.tif 000007
【図６】
2015024029.tif 000008
【図７】
2015024029.tif 000009
【図８】
2015024029.tif 000010
【図９】
2015024029.tif 000011
【図１０】
2015024029.tif 000012
【図１１】
2015024029.tif 000013
【図１２】
2015024029.tif 000014
【図１３】
2015024029.tif 000015